(57)【要約】【課題】輻輳を回避しつつ、災害発生後の被災者の状況を把握可能な安否情報を通信経由で提供できるようにする。【解決手段】端末装置は、緊急速報を受信したタイミングで、緊急速報の受信時刻と、緊急速報が受信されたタイミングでの位置情報と、前記緊急速報が受信されたタイミング以降において撮像部により撮像した画像とを取得する。そして、端末装置は、これらの取得した情報を含む安否情報を安否情報管理サーバにネットワーク経由で送信する。安否情報管理サーバは、他の端末装置から送信された安否情報を記憶する。そして、他の端末装置からネットワーク経由で送信された安否情報要求に対する応答として、記憶された安否情報のうちから、要求された安否情報を他の端末装置に送信する。【選択図】図２
2014007566.tif 000002
【特許請求の範囲】
【請求項１】
端末装置と安否情報管理サーバを備え、
前記端末装置は、
緊急速報を受信する緊急速報受信部と、
前記緊急速報が受信された受信時刻を取得する受信時刻取得部と、
前記緊急速報が受信されたタイミングで位置情報を取得する位置情報取得部と、
前記緊急速報が受信されたタイミング以降において撮像部により撮像した画像を取得する画像取得部と、
前記受信時刻と、前記位置情報と、前記画像とを少なくとも含む安否情報を送信する安否情報送信部とを備え、
前記安否情報管理サーバは、
前記端末装置から送信された前記安否情報を記憶部に記憶させる安否情報記憶制御部と、
他の端末装置から送信された安否情報要求に応じて、前記記憶部に記憶される安否情報を、前記他の端末装置に送信する安否情報送信部とを備える、
ことを特徴とする安否確認システム。
【請求項２】
前記画像取得部は動画像を取得し、
前記安否情報送信部は前記動画像を含む安否情報を送信する、
ことを特徴とする請求項１に記載の安否確認システム。
【請求項３】
前記安否情報送信部は、
前記緊急速報が受信されたタイミングで前記安否情報管理サーバとの通信を確立して、前記安否情報の送信を開始する、
ことを特徴とする請求項１または２に記載の安否確認システム。
【請求項４】
緊急速報が受信されたタイミング以降において地震による揺れが沈静している状態か否かを判定する沈静状態判定部をさらに備え、
前記安否情報送信部は、
揺れが沈静している状態であると判定されるのに応じて、前記安否情報管理サーバとの通信を切断する、
ことを特徴とする請求項３に記載の安否確認システム。
【請求項５】
前記沈静状態判定部は、
前記携帯端末装置自体の動きの検出結果に基づいて揺れが沈静している状態であるか否かを判定するとともに、携帯端末装置自体の動きの検出結果に基づいて揺れが沈静していないと判定される状態が一定時間以上経過した場合には、揺れが沈静している状態であると判定する、
ことを特徴とする請求項４に記載の安否確認システム。
【請求項６】
緊急速報を受信する緊急速報受信部と、
前記緊急速報が受信された受信時刻を取得する受信時刻取得部と、
前記緊急速報が受信されたタイミングで位置情報を取得する位置情報取得部と、
前記緊急速報が受信されたタイミング以降において撮像部により撮像した画像を取得する画像取得部と、
他の端末装置からの安否情報要求に対する応答として自己が記憶する安否情報を送信する安否情報管理サーバに対して、前記受信時刻と前記位置情報と前記画像とを少なくとも含む安否情報を送信する安否情報送信部と、
を備えることを特徴とする端末装置。
【請求項７】
端末装置と安否情報管理サーバを備える安否確認システムにおける安否確認方法であって、
前記端末装置は、
緊急速報を受信する緊急速報受信ステップと、
前記緊急速報が受信された受信時刻を取得する受信時刻取得ステップと、
前記緊急速報が受信されたタイミングで位置情報を取得する位置情報取得ステップと、
前記緊急速報が受信されたタイミング以降において撮像部により撮像した画像を取得する画像取得ステップと、
前記受信時刻と、前記位置情報と、前記画像とを少なくとも含む安否情報を送信する安否情報送信ステップとを備え、
前記安否情報管理サーバは、
前記端末装置から送信された前記安否情報を記憶部に記憶させる安否情報記憶制御ステップと、
他の端末装置から送信された安否情報要求に応じて、前記記憶部に記憶される安否情報を、前記他の端末装置に送信する安否情報送信ステップとを備える、
ことを特徴とする安否確認方法。
【請求項８】
緊急速報を受信する緊急速報受信ステップと、
前記緊急速報が受信された受信時刻を取得する受信時刻取得ステップと、
前記緊急速報が受信されたタイミングで位置情報を取得する位置情報取得ステップと、
前記緊急速報が受信されたタイミング以降において撮像部により撮像した画像を取得する画像取得ステップと、
他の端末装置からの安否情報要求に対する応答として自己が記憶する安否情報を送信する安否情報管理サーバに対して、前記受信時刻と前記位置情報と前記画像とを少なくとも含む安否情報を送信する安否情報送信ステップと、
を備えることを特徴とする安否確認方法。
【請求項９】
コンピュータに、
緊急速報を受信する緊急速報受信ステップ、
前記緊急速報が受信された受信時刻を取得する受信時刻取得ステップ、
前記緊急速報が受信されたタイミングで位置情報を取得する位置情報取得ステップ、
前記緊急速報が受信されたタイミング以降において撮像部により撮像した画像を取得する画像取得ステップ、
他の端末装置からの安否情報要求に対する応答として自己が記憶する安否情報を送信する安否情報管理サーバに対して、前記受信時刻と前記位置情報と前記画像とを少なくとも含む安否情報を送信する安否情報送信ステップ、
を実行させるためのプログラム。
【発明の詳細な説明】
【技術分野】
【０００１】
本発明は、安否確認システム、端末装置、安否確認方法およびプログラムに関する。
【背景技術】
【０００２】
地震などで災害が発生した場合には、その災害発生地域における家族、親類、知人などの安否をできるだけ早急に確認する必要がある。しかし、例えば大規模な災害が発生した場合には、同時に多数のユーザが安否確認のための通信をしようとするために通信回線に輻輳が発生して通信不能となってしまい、結果的に安否を確認することができなくなる場合がある。
【０００３】
そこで、以下のような安否情報提供システムが知られている。
つまり、この安否確認システムでは、ＧＰＳ機能を保持する携帯電話端末が緊急警報放送の受信を契機に、ＧＰＳ機能により検出した位置情報と緊急警報放送の受信時刻情報と携帯電話番号とを非通話チャンネルで携帯電話事業者システムに送信する。これにより、携帯電話事業者システムに上記の各情報を記憶させる。そして、安否情報登録装置は、携帯電話事業者システムに記憶された上記の各情報を携帯電話事業者システムから取得し、安否情報として記憶する。そして、安否情報提供サーバは、安否情報登録装置が記憶する安否情報を他の携帯電話端末からの問い合わせに応じて提供するというものである（例えば、特許文献１参照）。
【先行技術文献】
【特許文献】
【０００４】
【特許文献１】特開２０１０−１３００４３号公報
【発明の概要】
【発明が解決しようとする課題】
【０００５】
しかし、特許文献１の構成では、安否確認に際して提供される安否情報は、位置情報と緊急警報放送の受信時刻情報と携帯電話番号という内容である。しかし、これらの情報では、災害発生後の被災者の状況を把握することができず、安否確認としては不十分であるといえる。
【０００６】
本発明は、このような事情に鑑みてなされたもので、輻輳を回避しつつ、災害発生後の被災者の状況を把握可能な安否情報を通信経由で提供できるようにすることを目的とする。
【課題を解決するための手段】
【０００７】
上述した課題を解決するために、本発明の一態様としての安否確認システムは、端末装置と安否情報管理サーバを備え、前記端末装置は、緊急速報を受信する緊急速報受信部と、前記緊急速報が受信された受信時刻を取得する受信時刻取得部と、前記緊急速報が受信されたタイミングで位置情報を取得する位置情報取得部と、前記緊急速報が受信されたタイミング以降において撮像部により撮像した画像を取得する画像取得部と、前記受信時刻と、前記位置情報と、前記画像とを少なくとも含む安否情報を送信する安否情報送信部とを備え、前記安否情報管理サーバは、前記端末装置から送信された前記安否情報を記憶部に記憶させる安否情報記憶制御部と、他の端末装置から送信された安否情報要求に応じて、前記記憶部に記憶される安否情報を、前記他の端末装置に送信する安否情報送信部とを備える。
【０００８】
また、本発明の安否確認システムにおいて、前記画像取得部は動画像を取得し、前記安否情報送信部は前記動画像を含む安否情報を送信してもよい。
【０００９】
また、本発明の安否確認システムにおいて、前記安否情報送信部は、前記緊急速報が受信されたタイミングで前記安否情報管理サーバとの通信を確立して、前記安否情報の送信を開始してもよい。
【００１０】
また、本発明の安否確認システムにおいては、緊急速報が受信されたタイミング以降において地震による揺れが沈静している状態か否かを判定する沈静状態判定部をさらに備え、前記安否情報送信部は、揺れが沈静している状態であると判定されるのに応じて、前記安否情報管理サーバとの通信を切断してもよい。
【００１１】
また、本発明の安否確認システムにおいて、前記沈静状態判定部は、前記携帯端末装置自体の動きの検出結果に基づいて揺れが沈静している状態であるか否かを判定するとともに、携帯端末装置自体の動きの検出結果に基づいて揺れが沈静していないと判定される状態が一定時間以上経過した場合には揺れが沈静している状態であると判定してもよい。
【００１２】
また、本発明の一態様としての端末装置は、緊急速報を受信する緊急速報受信部と、前記緊急速報が受信された受信時刻を取得する受信時刻取得部と、前記緊急速報が受信されたタイミングで位置情報を取得する位置情報取得部と、前記緊急速報が受信されたタイミング以降において撮像部により撮像した画像を取得する画像取得部と、他の端末装置からの安否情報要求に対する応答として自己が記憶する安否情報を送信する安否情報管理サーバに対して、前記受信時刻と前記位置情報と前記画像とを少なくとも含む安否情報を送信する安否情報送信部とを備える。
【００１３】
また、本発明の一態様としての安否確認方法は、端末装置と安否情報管理サーバを備える安否確認システムにおける安否確認方法であって、前記端末装置は、緊急速報を受信する緊急速報受信ステップと、前記緊急速報が受信された受信時刻を取得する受信時刻取得ステップと、前記緊急速報が受信されたタイミングで位置情報を取得する位置情報取得ステップと、前記緊急速報が受信されたタイミング以降において撮像部により撮像した画像を取得する画像取得ステップと、前記受信時刻と、前記位置情報と、前記画像とを少なくとも含む安否情報を送信する安否情報送信ステップとを備え、前記安否情報管理サーバは、前記端末装置から送信された前記安否情報を記憶部に記憶させる安否情報記憶制御ステップと、他の端末装置から送信された安否情報要求に応じて、前記記憶部に記憶される安否情報を、前記他の端末装置に送信する安否情報送信ステップとを備える。
【００１４】
また、本発明の一態様としての安否確認方法は、緊急速報を受信する緊急速報受信ステップと、前記緊急速報が受信された受信時刻を取得する受信時刻取得ステップと、前記緊急速報が受信されたタイミングで位置情報を取得する位置情報取得ステップと、前記緊急速報が受信されたタイミング以降において撮像部により撮像した画像を取得する画像取得ステップと、他の端末装置からの安否情報要求に対する応答として自己が記憶する安否情報を送信する安否情報管理サーバに対して、前記受信時刻と前記位置情報と前記画像とを少なくとも含む安否情報を送信する安否情報送信ステップとを備える。
【００１５】
また、本発明の一態様としてのプログラムは、コンピュータに、緊急速報を受信する緊急速報受信ステップ、前記緊急速報が受信された受信時刻を取得する受信時刻取得ステップ、前記緊急速報が受信されたタイミングで位置情報を取得する位置情報取得ステップ、前記緊急速報が受信されたタイミング以降において撮像部により撮像した画像を取得する画像取得ステップ、他の端末装置からの安否情報要求に対する応答として自己が記憶する安否情報を送信する安否情報管理サーバに対して、前記受信時刻と前記位置情報と前記画像とを少なくとも含む安否情報を送信する安否情報送信ステップを実行させるためのものである。
【発明の効果】
【００１６】
以上説明したように、本発明によれば、輻輳を回避しつつ、災害発生後の被災者の状況を把握可能な安否情報を通信経由で提供できるようになるという効果が得られる。
【図面の簡単な説明】
【００１７】
【図１】本発明の実施形態における安否確認システムの構成例を示す図である。
【図２】本実施形態における携帯端末装置の構成例を示す図である。
【図３】本実施形態における安否情報管理サーバの構成例を示す図である。
【図４】本実施形態における安否情報データベースの構造例を示す図である。
【図５】緊急速報の送信に応じて本実施形態における携帯端末装置と安否情報管理サーバが実行する処理手順例を示す図である。
【図６】携帯端末装置が安否情報要求を送信するための処理手順例と、安否情報要求の受信に応答して安否情報管理サーバが安否情報を送信するための処理手順例とを示す図である。
【発明を実施するための形態】
【００１８】
［安否確認システムの構成例］
図１は、本実施形態における安否確認システムの構成例を示している。この図に示す安否確認システムは、携帯端末装置１００と安否情報管理サーバ２００と情報端末装置を備える。これらの携帯端末装置１００と安否情報管理サーバ２００と情報端末装置は、ネットワーク５００で通信可能に接続される。また、なお、携帯端末装置１００とネットワーク５００との間の通信については、基地局４００が中継する。
【００１９】
本実施形態における基地局４００は、地震や津波などの災害の発生に応じてその通信圏内に緊急速報を一斉送信する。
例えば、気象庁は地震に関して以下のような緊急地震速報を提供するシステムを有している。つまり、このシステムは、地震の発生直後に、震源に近い地震計でとらえた観測データを解析して震源や地震の規模（マグニチュード）を直ちに推定し、これに基づいて各地での主要動の到達時刻や震度を予測する。そして、これらの予測した結果を可能な限り素早く提供するというものである。
基地局４００に対しては、災害の発生に応じてこのような緊急速報が配信される。基地局４００は、このように配信された緊急速報を通信圏内に一斉送信するものである。
【００２０】
携帯端末装置（端末装置）１００は、上記のように基地局４００から送信される緊急速報を受信する。携帯端末装置１００は、緊急速報を受信するのに応じて、即座に、緊急速報を受信した時刻(受信時刻)と、自己の位置(位置情報)と、自己が備える撮像部により撮像した画像とを含む安否情報を、基地局４００からネットワーク５００経由で安否情報管理サーバ２００に送信する。
【００２１】
ここで、携帯端末装置１００は、緊急速報の受信直後のタイミングで安否情報の送信を開始するので、災害の発生によるネットワーク５００の輻輳は発生していない。これにより、携帯端末装置１００は、輻輳が発生する前の段階で回線を確保したうえで安否情報を送信することができる。
【００２２】
安否情報管理サーバ２００は、上記のように携帯端末装置１００から送信される安否情報を記憶する。
この図に示す情報端末装置（他の端末装置）３００は、例えば被災者である携帯端末装置１００のユーザの安否を確認したい安否確認者としてのユーザ操作する端末装置である。安否確認者は、例えば災害発生後の任意のタイミングで、情報端末装置を操作して、ネットワーク５００経由で安否情報管理サーバ２００に対して、携帯端末装置１００のユーザの安否情報を要求する。この要求に対する応答して、安否情報管理サーバ２００は、自己が記憶していた携帯端末装置１００のユーザについての安否情報を情報端末装置に送信する。情報端末装置は、例えば受信した安否情報を表示させる。
【００２３】
ここで、この安否情報には画像が含まれるが、この画像は、携帯端末装置１００が備える撮像装置により撮像されたものである。したがって、安否情報の画像は、災害が発生した後の携帯端末装置１００の周囲の状況を撮像した内容を有している。これは、安否情報の画像が、被災者を含むその周囲の状況を示していることに他ならない。
そして、このような安否情報の画像が、例えば災害速報を受信した受信時刻や位置情報などとともに情報端末装置により表示されることで、この表示を見た安否確認者としてのユーザは、被災者の状況を具体的に把握することが可能となる。
【００２４】
そのうえで、携帯端末装置１００は、撮像部としてインカメラとアウトカメラの２つを備える場合には、これらのインカメラとアウトカメラの両者により撮像を行って、それぞれの画像を安否情報に含める。
インカメラは、ユーザが携帯端末装置１００を操作するための持ち方をしている状態においてそのユーザが撮像可能なように携帯端末装置１００の本体に設けられる撮像部である。アウトカメラは、ユーザが携帯端末装置１００を操作するための持ち方をしている状態において、そのユーザと同じ視点により撮像可能なように携帯端末装置１００の本体に設けられる撮像部である。
したがって、携帯端末装置１００のインカメラとアウトカメラの両者で撮像を行うことによっては、被災者の状況を同時に異なる視点により撮像した２つの画像が安否情報に含まれる。
そして、情報端末装置は、安否情報にインカメラとアウトカメラのそれぞれより撮像されていた画像が含まれている場合、これらの画像を表示させる。これにより、安否確認者は、被災者の状況をより的確に把握することが可能になる。
【００２５】
さらに、本実施形態において、安否情報に含められる画像は動画像である。つまり、携帯端末装置１００は、緊急速報の受信に応じて撮像部により動画像を撮像させ、この撮像された動画像を安否情報の１つとして送信してくるものである。
そして、情報端末装置により安否情報の映像として動画像が表示されることで、安否確認者は、被災者の状況をさらに詳細に把握することが可能になる。
【００２６】
なお、このように安否情報が動画像を含むことに対応して、携帯端末装置１００は、例えばストリーミングにより安否情報を送信する。これにより、安否情報を受信する安否情報管理サーバ２００においては、動画像としてファイルの送信完了を待つことなく、受信された動画像のデータを逐次記憶していくことができる。
特に災害が発生していることを考慮した場合、例えば通信設備の故障などの理由で通信が不安定となる状況が起こる可能性は平常時よりも高いと考えられる。本実施形態では、上記のようにストリーミング方式より安否情報を送信することとしているので、途中で通信が途切れるようなことがあっても、安否情報管理サーバ２００は、逐次受信した動画像のデータを取得することが可能である。
【００２７】
なお、情報端末装置は、ネットワーク５００経由による通信が可能な端末であれば、その機種などの種別について特に限定されるものではない。また、上記したような情報端末装置の安否情報を取得し、取得した安否情報を表示させるという安否確認機能は、例えば、情報端末装置が備えるウェブブラウザが安否情報管理サーバ２００にアクセスすることによって実現できる。
また、携帯端末装置１００自体も、情報端末装置と同様の安否確認機能を備えることで、他の端末装置として機能する。
【００２８】
［携帯端末装置の構成例］
図２は、携帯端末装置１００の構成例を示している。この図に示す携帯端末装置１００は、通信部１０１、制御部１０２、測位部１０３、撮像部１０４（インカメラ１０４Ａ、アウトカメラ１０４Ｂ）、揺れ検出部１０５、操作部１０６および表示部１０７を備える。
【００２９】
通信部１０１は、基地局４００を介して他の携帯端末装置やネットワーク５００に接続されたノード（サーバ、端末など）との通信を実行する。
通信部１０１は、安否情報の送受信に対応して、緊急速報受信部１１１と安否情報送受信部１１２を備える。緊急速報受信部１１１は、前述のように、基地局４００から送信される緊急速報を受信する。
【００３０】
安否情報送受信部１１２は、安否情報送信部と安否情報受信部の各機能を有する。つまり、安否情報送信部としての安否情報送受信部１１２は安否情報を送信する。この際、制御部１０２は送信すべき安否情報を制御部１０２の安否情報生成部１２４から入力する。
また、安否情報受信部としての安否情報送受信部１１２は、図１の情報端末装置と同じ安否確認機能を実現するために、操作部１０６に対して行われた安否情報要求のための操作に応じて、安否情報管理サーバ２００に対して安否情報要求を送信する。
例えば携帯端末装置１００のユーザが安否確認者である場合、この安否確認者は、安否確認をとりたい被災者としてのユーザを特定する所定のユーザ情報（例えば被災者のユーザＩＤ、携帯端末装置の電話番号など）を入力したうえで、安否情報要求の操作を行う。この操作に応じて、安否情報送受信部１１２は、入力されたユーザ情報に該当する安否情報要求を安否情報管理サーバ２００に送信する。
【００３１】
制御部１０２は、安否情報管理サーバ２００に送信すべき安否情報の取得に関する制御を実行する。
また、制御部１０２は、情報端末装置の安否確認機能と同じ機能を実現するために、安否情報送受信部１１２により受信された安否情報を出力するための制御を実行する。
【００３２】
測位部１０３は、携帯端末装置１００の位置を測位して位置情報を出力する。この測位部１０３には、例えばＧＰＳ（Global Positioning System）に対応した受信機の構成を適用できる。
【００３３】
撮像部１０４は、携帯端末装置１００の周囲を撮像する。本実施形態において、撮像部１０４は、インカメラ１０４Ａとアウトカメラ１０４Ｂを備える。
前述のように、インカメラ１０４Ａは、ユーザが携帯端末装置１００を操作するための持ち方をしている状態においてそのユーザが撮像可能なように携帯端末装置１００の本体に設けられる。アウトカメラ１０４Ｂは、ユーザが携帯端末装置１００を操作するための持ち方をしている状態において、そのユーザと同じ視点により撮像可能なように携帯端末装置１００の本体に設けられる。
【００３４】
揺れ検出部１０５は、携帯端末装置１００自体の揺れを検出する。この揺れ検出部１０５としてのデバイスには、例えば加速度センサを用いることができる。また、加速度センサの他にも、角速度センサや各種方式の振動センサなどを揺れ検出部１０５に適用することができる。
【００３５】
操作部１０６は、携帯端末装置１００に備えられる操作子や操作デバイスを一括して示したものである。このような操作子や操作デバイスの例としては、例えば携帯端末装置１００に備えられる各種のキーやタッチパネルなどである。
【００３６】
表示部１０７は、制御部１０２の制御に応じて映像を表示する部位である。例えば、表示部１０７は、安否情報出力部１２６の制御に応じて、受信された安否情報を映像として表示する。
【００３７】
次に、同じ図２における制御部１０２の構成例について説明する。
制御部１０２は、安否情報管理サーバ２００に送信すべき安否情報の取得のための制御に対応する機能部として、受信時刻取得部１２１、位置情報取得部１２２、画像取得部１２３、安否情報生成部１２４および沈静状態判定部１２５を備える。
【００３８】
受信時刻取得部１２１は、緊急速報受信部１１１により緊急速報が受信された受信時刻を取得する。このために、受信時刻取得部１２１は、例えば時計機能を備えている。
【００３９】
位置情報取得部１２２は、緊急速報受信部１１１により緊急速報が受信されたタイミングで、測位部１０３から位置情報を取得する。
【００４０】
画像取得部１２３は、緊急速報受信部１１１により緊急速報が受信されたタイミング以降において撮像部１０４（インカメラ１０４Ａおよびアウトカメラ１０４Ｂ）により撮像した画像を取得する。なお、前述のように、本実施形態において撮像部１０４が撮像する画像は動画像であり、画像取得部１２３は、インカメラ１０４Ａとアウトカメラ１０４Ｂのそれぞれにより撮像された動画像を取得する。
【００４１】
安否情報生成部１２４は、受信時刻取得部１２１により取得された受信時刻と、位置情報取得部１２２により取得された位置情報と、画像取得部１２３により取得された画像とを含む安否情報を生成する。なお、安否情報には、受信時刻と位置情報と画像以外の所定の情報が含まれてもよい。
【００４２】
通信部１０１における安否情報送受信部１１２は、安否情報生成部１２４により生成された安否情報を入力し、安否情報管理サーバ２００に送信する。
ここで、安否情報生成部１２４による安否情報の生成と、安否情報送受信部１１２による安否情報の送信の開始は、緊急速報が受信されるのに応じて即座に実行される。例えば、安否情報送受信部１１２は、緊急速報受信部１１１により緊急速報が受信されたのに応じたタイミングで安否情報管理サーバ２００との通信を確立し、安否情報の送信を開始する。
これにより、前述もしたように、災害の発生に起因するネットワーク５００の輻輳が発生する前のタイミングでネットワーク５００における通信回線を確保できる。
【００４３】
また、安否情報に含まれる情報のうち、画像以外の受信時刻と位置情報は、非常に小さいサイズであり、動画像のように時系列性を有するデータではない。このことに基づき、安否情報送受信部１１２は、例えば、安否情報の送信開始に伴って、まず、安否情報における受信時刻と位置情報を送信し、次いで、動画像としての画像を送信させる。これにより、受信時刻と位置情報についてはネットワーク５００に輻輳が生じていないうちに安否情報管理サーバ２００に送信することができる。
【００４４】
また、沈静状態判定部１２５は、安否情報送受信部１１２により緊急速報が受信されたタイミング以降において地震による揺れが沈静している状態か否かを判定する。このために、沈静状態判定部１２５は、緊急速報が受信されたタイミング以降において揺れ検出部１０５により検出される加速度を入力し、この加速度に基づいて、携帯端末装置１００の揺れが沈静化したか否かについて判定する。
沈静状態判定部１２５により揺れが沈静している状態であると判定されるということは、以下の２つのいずれかの場合に該当する。
つまり、１つは、地震が発生した地域においてその揺れが収まった場合に該当する。また、もう１つは、緊急速報が誤報であったり、携帯端末装置１００の位置が震源地から相当に離れていたりしたために、現実には地震による揺れははじめから発生せずに沈静している状態にあった場合に該当する。
安否情報送受信部１１２は、上記のように揺れが沈静している状態であることが判定されるのに応じて、安否情報管理サーバ２００との通信を切断する。
つまり、安否情報送受信部１１２は、緊急速報が受信されたタイミング以降において、安否情報として、まず、受信時刻と位置情報を送信し、次いで、撮像部１０４により撮像される動画像を送信し続ける。そして、安否情報送受信部１１２は、沈静状態判定部１２５により揺れが沈静している状態であることが判定されるのに応じて、安否情報管理サーバ２００との通信を切断することにより、これまでの安否情報の送信を停止する。
【００４５】
上記のように安否情報の送信が停止されることで、例えば、現実に発生した地震による揺れが沈静化したにも係わらず、安否情報の動画像が無駄に送信され続けることがなくなる。あるいは、緊急速報が誤報であったり震源地が相当に離れていて揺れが生じていないのにも係わらず、安否情報が送信されることがなくなる。これにより、例えば、携帯端末装置１００の通信が災害発生後におけるトラフィックの増加要因となってしまうことが防がれる。また、携帯端末装置１００のバッテリを無駄に消費しないようにすることもできる。
【００４６】
また、制御部１０２は、安否情報送受信部１１２により受信された安否情報を出力するための制御に対応する機能部として、安否情報出力部１２６を備える。
安否情報出力部１２６は、前述のように安否情報送受信部１１２が受信した安否情報を入力する。そして、安否情報出力部１２６は、入力した安否情報の内容を表示部１０７により映像として表示させる。
【００４７】
［安否情報管理サーバの構成例］
次に、図３を参照して、安否情報管理サーバ２００の構成例について説明する。
この図に示す安否情報管理サーバ２００は、通信部２０１、制御部２０２および記憶部２０３を備える。
【００４８】
通信部２０１は、ネットワーク５００経由で他のノードと通信を実行する。
この通信部２０１は、安否情報の送受信に対応して安否情報送受信部２１１を備える。安否情報送受信部２１１は、携帯端末装置１００から送信された場合には、この安否情報を受信する。
また、安否情報送受信部２１１は、安否確認者としてのユーザが操作する情報端末装置や携帯端末装置から送信された安否情報要求を受信する。また、安否情報送受信部（安否情報送信部）２１１は、受信した安否情報要求に応答して記憶部２０３に記憶される安否情報を、要求元の情報端末装置や携帯端末装置（他の端末装置）に送信する。
【００４９】
制御部２０２は、安否情報管理サーバ２００としての動作を実現するための制御を実行する。そのうえで、制御部２０２は、記憶部２０３に記憶される安否情報を管理するために安否情報記憶制御部２２１を備える。この安否情報記憶制御部２２１は、携帯端末装置１００から送信された安否情報を記憶部２０３に記憶させる。また、安否情報記憶制御部２２１は、安否情報要求が受信されるのに応答して、要求された安否情報を記憶部２０３から読み出す。安否情報送受信部２１１は、このように読み出された安否情報を要求元の情報端末装置や携帯端末装置などに送信する。
【００５０】
記憶部２０３は、安否情報を記憶する。本実施形態において、記憶部２０３は、安否情報を安否情報データベース２３０に格納するように記憶する。
【００５１】
図４は、安否情報データベース２３０の構造例を示している。
この図に示す安否情報データベース２３０における１レコードが、１つの携帯端末装置１００から受信した１つの安否情報に対応する。１レコードは、ユーザ情報２３１、受信時刻２３２、位置情報２３３および画像２３４を含む。なお、１レコードにおいて、この図に示す以外の情報が含まれていてもよい。
【００５２】
ユーザ情報２３１は、対応の安否情報の送信元である携帯端末装置１００の所有者であるユーザ(被災者)に関連する所定の情報。このようなユーザ情報２３１の一例としては、例えばユーザの氏名、生年月日、電話番号などである。
【００５３】
受信時刻２３２は、対応の安否情報に含まれる受信時刻である。
位置情報２３３は、対応の安否情報に含まれる位置情報である。
画像２３４は、対応の安否情報に含まれる画像である。本実施形態において、安否情報に含まれる画像は動画像である。これに応じて、画像２３４は、例えば動画像のファイルとしての形式を有する。
【００５４】
安否情報記憶制御部２２１は、携帯端末装置１００から送信される安否情報が安否情報送受信部２１１にて受信されるごとに、その受信された安否情報を、新規レコードとして安否情報データベース２３０に登録する。
【００５５】
また、安否情報記憶制御部２２１は、安否情報要求が受信されるのに応答して、この受信された安否情報要求に含まれるユーザ情報を参照する。そして、安否情報記憶制御部２２１は、参照したユーザ情報と一致する内容のユーザ情報２３１を含むレコードを安否情報データベース２３０から読み出す。安否情報送受信部２１１は、このように読み出されたレコードを安否情報として、要求元の情報端末装置または携帯端末装置１００に対して送信する。
【００５６】
［処理手順例］
図５のフローチャートは、基地局４００からの緊急速報の送信に応じて携帯端末装置１００と安否情報管理サーバ２００が実行する処理手順例を示している。
携帯端末装置１００において、緊急速報受信部１１１は、基地局４００が送信する緊急速報が受信されるのを待機している(ステップＳ１０１−ＮＯ)。
緊急速報が受信されるのに応じて、受信時刻取得部１２１は、緊急速報が受信された時刻を受信時刻として取得する(ステップＳ１０２)。
また、安否情報送受信部１１２は、緊急速報が受信されるのに応じて、安否情報管理サーバ２００との間で接続確立処理を実行することにより、安否情報管理サーバ２００との接続を確立する（ステップＳ１０３）。
【００５７】
また、画像取得部１２３は、緊急速報が受信されるのに応じて、撮像部１０４（インカメラ１０４Ａおよびアウトカメラ１０４Ｂ）に動画像の撮像を開始させ、この撮像により得られた動画像の入力を開始する(ステップＳ１０４)。
また、位置情報取得部１２２は、緊急速報が受信されたタイミングで測位部１０３により測位された位置情報を取得する(ステップＳ１０５)。
【００５８】
次に、安否情報生成部１２４は、ステップＳ１０２、Ｓ１０４およびＳ１０５により取得された受信時刻、画像および位置情報とにより安否情報を生成する。そして、安否情報送受信部１１２は、このように生成された安否情報の送信を開始する(ステップＳ１０６)
【００５９】
ステップＳ１０６により安否情報の送信を開始した後、沈静状態判定部１２５は、揺れ検出部１０５が検出する加速度に基づいて、揺れが沈静している状態にあるか否かについて判定する(ステップＳ１０７)。
【００６０】
揺れが沈静している状態ではない場合(ステップＳ１０７−ＮＯ)、沈静状態判定部１２５は、さらに緊急速報が受信されたタイミングから一定時間(例えば１０分程度)以上経過か否かについて判定する(ステップＳ１０８)。
【００６１】
例えば、被災者であるユーザが携帯端末装置１００を所持せずにどこかに置いているような状況であれば、地震が沈静化するのに応じて、携帯端末装置１００自体の揺れも沈静化していく。あるいは、地震の緊急速報が誤報であったり、震源地が相当に離れていたりした場合には、携帯端末装置１００に揺れは生じない。
しかし、携帯端末装置１００がユーザにより所持されている場合には、ユーザの動きに応じて或る程度大きな揺れが揺れ検出部１０５により検出される。この場合、地震が沈静化したり、はじめから地震による揺れが生じていなかったとしても、揺れ検出部１０５により携帯端末装置１００の揺れが継続して検出される可能性がある。このような状況に対応するために、沈静状態判定部１２５は、ステップＳ１０８の判定を行う。つまり、沈静状態判定部１２５は、携帯端末装置自体の動き検出結果に基づいて揺れが沈静していないと判定される状態が一定時間以上経過した場合には揺れが沈静化したと判定する。
沈静状態判定部１２５は、一定時間を経過していないと判定した場合（ステップＳ１０８−ＮＯ)、ステップＳ１０７に戻る。
【００６２】
そして、携帯端末装置１００の揺れが沈静化したことが判定された場合(ステップＳ１０７−ＹＥＳ)、あるいは、緊急速報の受信から一定時間以上経過した場合(ステップＳ１０８−ＹＥＳ)、携帯端末装置１００は、以下のようにこれまで送信していた安否情報（動画）の送信を停止する。
【００６３】
つまり、安否情報送受信部１１２は、ステップＳ１０３により確立した安否情報管理サーバ２００との接続を切断する(ステップＳ１０９)。
また、画像取得部１２３は、撮像部１０４による撮像を終了させて、画像の取得を終了する(ステップＳ１１０)。これにより、安否情報として受信時刻と位置情報に続けて送信されていた動画の送信が停止される。
【００６４】
また、安否情報管理サーバ２００において、安否情報送受信部２１１は、ステップＳ１０３による携帯端末装置１００の接続確立処理に応じて、携帯端末装置１００との接続を確立する(ステップＳ２０１)。
【００６５】
この後において、安否情報送受信部２１１は、接続が確立された携帯端末装置１００から送信される安否情報が受信されるのを待機する(ステップＳ２０２−ＮＯ)。そして、安否情報が受信されるのに応じて(ステップＳ２０２−ＹＥＳ)、安否情報記憶制御部２２１は、受信された安否情報を蓄積する（ステップＳ２０３）。このように受信した安否情報を直ちに安否情報データベース２３０に登録せずに蓄積しているのは、安否情報に含まれる動画像がストリーミング方式により順次送信されてくることに対応している。
【００６６】
安否情報送受信部２１１は、安否情報の受信と保持(ステップＳ２０２、Ｓ２０３)を実行しながら、携帯端末装置１００によるステップＳ１０９の実行に応じて通信が切断されるのを待機している(ステップＳ２０４−ＮＯ)。
【００６７】
そして、通信が切断されると(ステップＳ２０４−ＹＥＳ)、安否情報記憶制御部２２１は、これまでに蓄積していた安否情報を、新規レコードとして安否情報データベース２３０に登録する(ステップＳ２０５)。
【００６８】
図６のフローチャートは、携帯端末装置１００が安否情報要求を送信するための処理手順例と、安否情報要求の受信に応答して安否情報管理サーバ２００が安否情報を送信するための処理手順例とを示している。なお、この図において携帯端末装置１００が実行する処理は、情報端末装置も実行可能であるが、ここでは、図２に示した携帯端末装置１００の安否情報確認機能のための構成をもとに説明する。
【００６９】
携帯端末装置１００の安否情報送受信部１１２は、安否情報要求のための操作が操作部１０６に対して行われるのを待機している(ステップＳ３０１−ＮＯ)。そして、安否情報要求のための操作が行われるのに応じて、安否情報送受信部１１２は、安否情報要求を生成し、この生成した安否情報要求を安否情報管理サーバ２００に送信する(ステップＳ３０２)。
【００７０】
安否情報管理サーバ２００は、安否情報要求に対する応答として、後述のステップＳ４０３により安否情報を送信する。安否情報送受信部１１２は、このように送信された安否情報を受信し(ステップＳ３０３)、表示部１０７に表示させる(ステップＳ３０４)。
【００７１】
また、安否情報管理サーバ２００における安否情報送受信部２１１は、安否情報要求が受信されるのを待機している(ステップＳ４０１−ＮＯ)。
そして、安否情報要求が受信されるのに応じて(ステップＳ４０１−ＹＥＳ)、安否情報記憶制御部２２１は、受信された安否情報要求に含まれるユーザ情報と内容が一致するユーザ情報２３１を含むレコードを安否情報データベース２３０から読み出す(ステップＳ４０２)。
そして、安否情報送受信部２１１は、このように読み出したレコードを安否情報として安否情報要求の送信元である携帯端末装置１００に対して送信する(ステップＳ４０３)。
【００７２】
なお、上記実施形態においては、主に地震の発生に対応した緊急速報の受信に応じた動作について説明したが、これまでにおいて説明した本実施形態としての構成は、例えば津波に関する緊急速報であったり、火災や事故などの災害に応じた緊急速報などにも対応して適用できる。
【００７３】
また、図２や図３に示した各機能部を実現するためのプログラムをコンピュータ読み取り可能な記録媒体に記録して、この記録媒体に記録されたプログラムをコンピュータシステムに読み込ませ、実行することにより、本実施形態における安否情報に関する処理を行ってもよい。なお、ここでいう「コンピュータシステム」とは、ＯＳや周辺機器等のハードウェアを含むものとする。
【００７４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００７５】
以上、この発明の実施形態について図面を参照して詳述してきたが、具体的な構成はこの実施形態に限られるものではなく、この発明の要旨を逸脱しない範囲の設計等も含まれる。
【符号の説明】
【００７６】
１００  携帯端末装置
１０１  通信部
１０２  制御部
１０３  測位部
１０４  撮像部
１０４Ａ  インカメラ
１０４Ｂ  アウトカメラ
１０５  揺れ検出部
１０６  操作部
１０７  表示部
１１１  緊急速報受信部
１１２  安否情報送受信部
１２１  受信時刻取得部
１２２  位置情報取得部
１２３  画像取得部
１２４  安否情報生成部
１２５  沈静状態判定部
１２６  安否情報出力部
２００  安否情報管理サーバ
２０１  通信部
２０２  制御部
２０３  記憶部
２１１  安否情報送受信部
２２１  安否情報記憶制御部
２３０  安否情報データベース
４００  基地局
５００  ネットワーク
【図１】
2014007566.tif 000003
【図２】
2014007566.tif 000004
【図３】
2014007566.tif 000005
【図４】
2014007566.tif 000006
【図５】
2014007566.tif 000007
【図６】
2014007566.tif 000008